(57)【要約】【課題】生産コストを抑えつつもキャッシャ側及び客側の表示器の双方から商品データ入力を受け付けることができ、さらには店舗の運用に柔軟に対応した使用形態を実現する商品販売データ処理装置を提供すること。【解決手段】商品販売処理に関するアプリケーションプログラムを実行した際に表示される商品データの入力画面をキャッシャ側表示器３にのみ表示する第１の表示モードと、キャッシャ側表示器３及び客側表示器４の双方に表示する第２の表示モードとを任意に設定可能とする。そして、第１の表示モードが選択されている場合、キャッシャ側表示器３のタッチパネル入力を入力画面の操作として受け付け、第２の表示モードが選択されている場合、キャッシャ側表示器３及び客側表示器４の双方のタッチパネル入力を入力画面の操作として受け付ける。【選択図】    図２
2011013905.tif 000002
【特許請求の範囲】
【請求項１】
キャッシャ側に向けて各種情報を表示するタッチパネル付きのキャッシャ側表示器と、
客側に向けて各種情報を表示するタッチパネル付きの客側表示器と、
商品販売処理に関するアプリケーションプログラムを記憶した記憶手段と、
前記記憶手段に記憶されたアプリケーションプログラムを実行した際に表示される入力画面の表示モードを、前記キャッシャ側表示器にのみ表示する第１の表示モード又は前記入力画面を前記キャッシャ側表示器及び前記客側表示器の双方に表示する第２の表示モードのいずれかに設定する表示モード設定手段と、
この表示モード設定手段により前記第１の表示モードが設定されている場合、前記キャッシャ側表示器のタッチパネル入力を前記入力画面の操作として受け付け、前記表示モード切替手段により前記第２の表示モードが設定されている場合、前記キャッシャ側表示器及び前記客側表示器の双方のタッチパネル入力を前記入力画面の操作として受け付ける画面操作受付手段と、
この画面操作受付手段により受け付けられたタッチパネル入力にて前記入力画面が操作された結果入力されたデータに基づいて決済処理する決済処理手段と、
を備えていることを特徴とする商品販売データ処理装置。
【請求項２】
前記表示モード設定手段は、前記キャッシャ側表示器のタッチパネル入力による前記第１の表示モード又は前記第２の表示モードの選択を受け付け、当該選択結果に応じて前記入力画面の表示モードを前記第１の表示モード又は前記第２の表示モードのいずれかに設定することを特徴とする請求項１に記載の商品販売データ処理装置。
【請求項３】
前記客側表示器のタッチパネル入力の有効／無効を設定するタッチパネル入力設定手段をさらに備え、
前記画面操作受付手段は、前記タッチパネル入力設定手段により前記客側表示器のタッチパネル入力が無効に設定されているとき、前記表示モード設定手段により前記第２の表示モードが設定されている場合であっても、前記客側表示器からのタッチパネル入力を前記入力画面の操作として受け付けないことを特徴とする請求項１又は２に記載の商品販売データ処理装置。
【請求項４】
前記タッチパネル入力設定手段は、前記キャッシャ側表示器のタッチパネル入力による前記客側表示器のタッチパネル入力の有効／無効の選択を受け付け、当該選択結果に応じて前記客側表示器のタッチパネル入力の有効／無効を設定することを特徴とする請求項３に記載の商品販売データ処理装置。
【発明の詳細な説明】
【技術分野】
【０００１】
本発明は、キャッシャ側および客側に向けて各種情報を表示するタッチパネル付き表示器を備えた商品販売データ処理装置に関する。
【背景技術】
【０００２】
従来、商品を小売販売する店舗などにおいては、商品や代金の出納を記録するチェックアウト処理に、電子式金銭登録機やＰＯＳ（Point Of Sales）端末などの商品販売データ処理装置を使用している。商品販売データ処理装置の中には、オペレータが表示器の表示画面上のタッチパネルに触れることで、チェックアウト処理に必要なデータ（例えば商品を特定するコード、商品の販売価格、預かり金額など）を入力したり、入力されたデータに基づいた所定のデータ処理（例えば取引の合計金額や合計点数の算出等）の処理開始コマンドを入力したりするものがある。
【０００３】
かかる商品販売データ処理装置は、キャッシャ側及び客側のそれぞれに向けて情報を表示する表示器を備えたものがある。そして、キャッシャ側及び客側表示器のそれぞれにタッチパネルを設け、両表示器に商品データの入力画面を表示し、当該表示画面上のタッチパネルを操作することで商品データの入力を受け付けるものが存在する。
【０００４】
例えば、特許文献１に係るＰＯＳシステムでは、キャッシャ側タッチパネルからの入力に影響を及ぼすことなく客側タッチパネルからの入力を同時に受け付け、双方のタッチパネルを介して入力されたデータに基づいて取引を決済処理する。
【発明の概要】
【発明が解決しようとする課題】
【０００５】
上記特許文献１に係るＰＯＳシステムのように、キャッシャ側タッチパネルからの入力に影響を及ぼすことなく客側タッチパネルからの入力を受け付けるためには、キャッシャ側及び客側の表示器やタッチパネルを別系統で制御する必要がある。そのため、タッチパネル入力により商品データの入力を受け付けるアプリケーションプログラムなどを表示器の個数分用意する必要がある。
【０００６】
また、キャッシャ及び客が同時に入力する商品データを円滑に処理するためには、処理能力の高いＣＰＵ（Central Processing Unit）などの制御部品を採用しなければならない。
【０００７】
このように、アプリケーションソフトを複数用意したり、処理能力の高い高価な制御部品を採用したりすると、商品販売データ処理装置の生産コストが増加してしまう。
【０００８】
また、店舗の運用によっては客側に入力画面を表示する必要がない場合や、客側の表示器に入力画面を表示しても客によるタッチパネルの操作入力を受け付けず、客に当該画面を参照させて口頭による商品選択の指示を仰ぐ形でキャッシャが操作入力する場合も想定し得る。
【０００９】
本発明は、このような事情に基づいてなされたものであり、その目的は、生産コストを抑えつつもキャッシャ側及び客側のタッチパネル付き表示器の双方からタッチパネル入力を受け付けることができ、さらには店舗の運用に柔軟に対応した使用形態を実現する商品販売データ処理装置を提供することである。
【課題を解決するための手段】
【００１０】
本発明に係る商品販売データ処理装置は、キャッシャ側に向けて各種情報を表示するタッチパネル付きのキャッシャ側表示器と、客側に向けて各種情報を表示するタッチパネル付きの客側表示器と、商品販売処理に関するアプリケーションプログラムを記憶した記憶手段と、前記記憶手段に記憶されたアプリケーションプログラムを実行した際に表示される入力画面の表示モードを、前記キャッシャ側表示器にのみ表示する第１の表示モード又は前記入力画面を前記キャッシャ側表示器及び前記客側表示器の双方に表示する第２の表示モードのいずれかに設定する表示モード設定手段と、この表示モード設定手段により前記第１の表示モードが設定されている場合、前記キャッシャ側表示器のタッチパネル入力を前記入力画面の操作として受け付け、前記表示モード切替手段により前記第２の表示モードが設定されている場合、前記キャッシャ側表示器及び前記客側表示器の双方のタッチパネル入力を前記入力画面の操作として受け付ける画面操作受付手段と、この画面操作受付手段により受け付けられたタッチパネル入力にて前記入力画面が操作された結果入力されたデータに基づいて決済処理する決済処理手段とを備えていることを特徴としている。
【発明の効果】
【００１１】
かかる手段を講じた本発明によれば、生産コストを抑えつつもキャッシャ側及び客側の表示器の双方からデータ入力を受け付けることができ、さらには店舗の運用に柔軟に対応した使用形態を実現する商品販売データ処理装置を提供することができる。
【図面の簡単な説明】
【００１２】
【図１】本発明の一実施形態における商品販売データ処理装置の外観斜視図。
【図２】同実施形態における商品販売データ処理装置の制御回路のブロック図。
【図３】同実施系形態におけるモード設定処理の流れ図。
【図４】同実施系形態における商品登録処理の流れ図。
【図５】同実施形態におけるモード切替処理の流れ図。
【発明を実施するための形態】
【００１３】
以下、本発明を実施するための一実施形態について、図面を参照しながら説明する。なお、本実施形態は、本発明を商品販売店舗の勘定場に設置され、当該店舗の会計処理に使用されるＰＯＳ端末に適用した場合である。
【００１４】
図１，図２を用いて商品販売データ処理装置であるＰＯＳ端末１の構成について説明する。図１はＰＯＳ端末１の外観斜視図であり、図２はＰＯＳ端末１の制御回路を示すブロック図である。図１に示すように、ＰＯＳ端末１は、制御ユニット等が搭載された基台部２に、キャッシャ側に向けて各種情報を表示するキャッシャ側表示器３と、客側に向けて各種情報を表示する客側表示器４とを取り付けて構成されている。
【００１５】
図２に示すように、キャッシャ側表示器３及び客側表示器４は、表示画面である液晶パネル３ａ，４ａ上にタッチパネル３ｂ，４ｂが敷設されたタッチパネル式のＬＣＤ（Liquid Crystal Display）である。なお、各表示器３，４の表示方式は、ＬＣＤに限らずＣＲＴ（Cathode Ray Tube）等の他の表示方式を採用してもよい。
【００１６】
基台部２の内部には、ＣＰＵ等で構成される制御部１０に対してＲＯＭ（Read Only Memory）１１、ＲＡＭ（Random Access Memory）１２、通信Ｉ／Ｆ（Interface）１３、ＨＤＤ（Hard Disk Drive）１４、液晶表示コントローラ１５、およびタッチパネルコントローラ１６を、アドレスバスやデータバス等のバスラインを介して接続した制御ユニットが搭載されている。
【００１７】
ＲＯＭ１１は、ＰＯＳ端末１の動作に必要な各種プログラム等の固定的データを記憶している。ＲＡＭ１２は、処理場面に応じてモード設定エリア２０や商品データ登録エリア２１などの作業用記憶エリアを形成する。通信Ｉ／Ｆ１３は、通信ケーブル（不図示）を介してストアサーバ等の上位機器とのデータ通信を制御する。
【００１８】
ＨＤＤ１４は、本実施形態における記憶手段として機能し、ＯＳ（Operating System）に関する各種データからなるＯＳファイル３０、ＰＯＳ端末１が実行する商品販売処理などのアプリケーションプログラムに関する各種データからなるＡＰ（Application）ファイル３１、および商品毎に割り当てられたＰＬＵ（Price Look Up）コードに商品名称や商品価格などの商品データを対応付けてなるＰＬＵファイル３２を記憶している。
【００１９】
液晶表示コントローラ１５は、キャッシャ側表示器３の液晶パネル３ａおよび客側表示器４の液晶パネル４ａを接続し、各液晶パネル３ａ，４ａの画面表示を制御する。タッチパネルコントローラ１６は、キャッシャ側表示器３のタッチパネル３ｂおよび客側表示器４のタッチパネル４ｂを接続し、各タッチパネル３ｂ，４ｂが操作位置に応じて出力する電気信号に基づいて操作位置座標を算出し、制御部１０に通知する。制御部１０は、タッチパネルコントローラ１６から出力された操作位置座標と液晶表示コントローラ１５により液晶パネル３ａ，４ａに表示された画面部品の位置座標とを比較し、操作された画面部品を特定する。
【００２０】
ＰＯＳ端末１は、電源が投入された後、ＢＩＯＳによる起動処理を実行する。この起動処理では、ＰＯＳＴ（Power-On Self Test）と呼ばれるテストプログラムにより各デバイスの初期化などが行われ、ＯＳファイル３０が読み込まれてＯＳが起動される。ＯＳが起動された後はＢＩＯＳからＯＳに制御権が移行し、ＡＰファイル３１に記憶されたアプリケーションを実行可能な状態になる。このとき、商品販売処理に関するアプリケーションが実行されると、図５の説明にて後述する商品販売処理が実行される。
【００２１】
さて、ＰＯＳ端末１は、キャッシャ側表示器３および客側表示器４の表示モードをデュアルモードあるいはクローンモードのいずれかに任意に設定して商品販売処理を実行する機能を備えている（表示モード設定手段）。当該機能は、液晶表示コントローラ１５、モード設定エリア２０および制御部１０による処理にて実現される。  
デュアルモードとは、キャッシャ側表示器３と客側表示器４とで異なる表示画面を表示するモードである。本実施形態においては、デュアルモードに設定されている場合、キャッシャ側表示器３にのみ商品データの入力画面を表示し、客側表示器４には登録された商品の金額やコマーシャル情報などを表示する。  
クローンモードとは、キャッシャ側表示器３と客側表示器４とに同一の表示画面を表示するモードである。本実施系形態においては、クローンモードに設定されている場合、キャッシャ側表示器３および客側表示器４の双方に商品データの入力画面を表示する。このとき両表示器３，４に表示される入力画面は、液晶表示コントローラ１５が同一の表示信号を液晶パネル３ａ，３ｂに供給することで表示されるものであり、両画面は完全に同一である。
【００２２】
デュアルモードに設定されている場合の商品販売処理では、キャッシャ側表示器３からのみタッチパネル入力が可能となる。すなわち、タッチパネルコントローラ１６は、タッチパネル３ｂから出力される電気信号からのみ操作位置座標を算出して制御部１０に出力し、タッチパネル４ｂから出力される電気信号は無視する。
【００２３】
一方、クローンモードに設定されている場合の商品販売処理では、キャッシャ側表示器３および客側表示器４の双方からタッチパネル入力が可能となる。すなわち、タッチパネルコントローラ１６は、タッチパネル３ｂ，４ｂの双方から出力される電気信号からそれぞれの操作位置座標を算出し、それらを同一の入力画面の操作位置座標として制御部１０に出力する。
【００２４】
このように、デュアルモードが設定されている場合、キャッシャ側表示器３のタッチパネル入力を商品データの入力画面の操作として受け付け、クローンモードが設定されている場合、キャッシャ側表示器３および客側表示器４の双方のタッチパネル入力を商品データの入力画面の操作として受け付けるタッチパネルコントローラ１６は、本実施形態における画面操作受付手段を構成する。
【００２５】
また、ＰＯＳ端末１は、客側表示器４のタッチパネル入力を有効（オン）とするか無効（オフ）とするかを任意に設定して商品販売処理を実行する機能を備えている（タッチパネル入力設定手段）。当該機能は、タッチパネルコントローラ１６、モード設定エリア２０および制御部１０による処理にて実現される。
【００２６】
客側表示器４のタッチパネル入力がオンされている場合、タッチパネルコントローラ１６は、上述の通りタッチパネル３ｂ，４ｂの双方から出力される電気信号からそれぞれの操作位置座標を算出し、それらを同一の上記入力画面の操作位置座標として制御部１０に出力する。
【００２７】
一方、客側表示器４のタッチパネル入力がオフされている場合、タッチパネルコントローラ１６は、クローンモードに設定されている場合であってもタッチパネル４ｂから出力される電気信号を無視する。
【００２８】
ＰＯＳ端末１は、表示モードおよび客側表示器４のタッチパネル入力のオン／オフの切り替えを受け付ける機能を備えている。したがって、作業者は、当該機能により表示モードおよび客側表示器４のタッチパネル入力のオン／オフを任意に設定してＰＯＳ端末１を使用することができる。
【００２９】
表示モードおよび客側表示器４のタッチパネル入力のオン／オフの設定方法について説明する。これらを設定するにあたり、作業者は、キャッシャ側表示器３を所定の手順に従って操作して表示モード等設定処理の開始を宣言する。この開始の宣言がなされたことに応じ、ＰＯＳ端末１は、図３に示した処理を実行するようにプログラム構成されている。
【００３０】
先ず、制御部１０は、液晶表示コントローラ１５を介して液晶パネル３ａを制御し、表示モード等設定処理の実行画面を表示させる（ＳＴ１０１）。当該画面は、ＯＳファイル３０に記憶された設定プログラムにより表示される画面であり、デュアルモードまたはクローンモードのいずれかを指定する表示エリア、客側表示器４のタッチパネル入力のオン／オフを指定する表示エリア、モード設定処理の取り消しを宣言する取消ボタンおよび選択内容の確定を宣言する確定ボタンなどが設けられている。
【００３１】
当該画面が表示された状態において、制御部１０は、上記表示エリアのタッチ操作による表示モードの指定および客側表示器４のタッチパネル入力のオン／オフの指定を受け付けている（ＳＴ１０２，ＳＴ１０３）。
【００３２】
また、制御部１０は、上記取消ボタンの操作の有無を監視している（ＳＴ１０４）。操作者による上記取消ボタンの操作を検知したときには（ＳＴ１０４のＹｅｓ）、当該表示モード等設定処理を終了する。
【００３３】
また、制御部１０は、上記確定ボタンの操作の有無を監視している（ＳＴ１０５）。取消ボタンが操作されず（ＳＴ１０４のＮｏ）、確定ボタンの操作もされない場合には（ＳＴ１０５のＮｏ）、再度表示モードの指定および客側表示器４のタッチパネル入力オン／オフの指定を受け付ける。
【００３４】
一方、操作者による上記確定ボタンの操作を検知した場合（ＳＴ１０５のＹｅｓ）、制御部１０は、現在実行画面にて指定されている表示モードおよび客側表示器４のタッチパネル入力のオン／オフの別にてＲＡＭ１２に形成されたモード設定エリア２０の内容を更新する（ＳＴ１０６）。かくしてモード設定エリア２０の記憶内容を更新した後、当該表示モード等設定処理を終了する。
【００３５】
次に、ＰＯＳ端末１による商品販売処理について説明する。  
ＡＰファイル３１に記憶された商品販売処理用のアプリケーションの実行プログラムを読み出し、該プログラムを実行すると商品販売処理が開始される。商品販売処理においては、制御部１０が図４および図５に示した処理を実行するようにプログラム構成されている。以下、当該処理について説明する。
【００３６】
商品登録用のアプリケーションが起動した後、制御部１０は、図５に示したモード切替処理を実行する（ＳＴ２０１）。先ずこの処理において、制御部１０は、モード設定エリア２０を参照し、表示モードがデュアルモードまたはクローンモードのいずれに設定されているかを判定する（ＳＴ３０１）。
【００３７】
クローンモードに設定されている場合（ＳＴ３０１の“クローンモード”）、制御部１０は、液晶表示コントローラ１５を介して液晶パネル３ａ，４ａを制御し、キャッシャ側表示器３および客側表示器４の双方に商品データの入力画面を表示する（ＳＴ３０２）。一方、モード設定エリア２０にデュアルモードが設定されている場合には（ＳＴ３０１の“デュアルモード”）、液晶表示コントローラ１５を介して液晶パネル３ａを制御し、キャッシャ側表示器３に商品データの入力画面を表示する（ＳＴ３０３）。さらに、液晶表示コントローラ１５を介して液晶パネル４ａを制御し、客側表示器４に店舗や商品のコマーシャル情報等を表示する（ＳＴ３０４）。
【００３８】
かくしてキャッシャ側表示器３および客側表示器４に商品データの入力画面またはコマーシャル情報を表示した後、制御部１０は、モード設定エリア２０を参照し、客側表示器４のタッチパネル入力がオン／オフのいずれに設定されているかを判定する（ＳＴ３０５）。
【００３９】
客側表示器４のタッチパネル入力がオンに設定されている場合（ＳＴ３０５の“オン”）、制御部１０は、タッチパネルコントローラ１６にタッチパネル４ｂからの入力信号を有効な信号として取り扱うよう指令する（ＳＴ３０６）。この指令を受けた後、タッチパネルコントローラ１６は、キャッシャ側表示器３のタッチパネル３ｂから入力される信号と、客側表示器４のタッチパネル４ｂから入力される信号の双方を有効なものとして取り扱う。
【００４０】
一方、客側表示器４のタッチパネル入力がオフに設定されている場合（ＳＴ３０５の“オフ”）、制御部１０は、タッチパネルコントローラ１６にタッチパネル４ｂからの入力信号を無効として取り扱うよう指令する（ＳＴ３０７）。この指令を受けた後、タッチパネルコントローラ１６は、キャッシャ側表示器３のタッチパネル３ｂから入力される信号のみ有効なものとして取り扱い、客側表示器４のタッチパネル４ｂから入力される信号は無視する。  
かくして表示モードおよび客側表示器４のタッチパネル入力のオン／オフを切り替えた後、制御部１０は、当該表示モード等切替処理を終了する。
【００４１】
表示モード等切替処理の後、制御部１０は、商品選択を受け付ける状態に移行し（ＳＴ２０３）、キャッシャ側表示器３あるいは客側表示器４に表示された商品データの入力画面からの商品選択の有無を監視する（ＳＴ２０４）。このとき、表示モードがデュアルモードに設定されている場合、またはクローンモードに設定されているが客側表示器４からのタッチパネル入力がオフに設定されている場合には、キャッシャ側表示器３の操作によってのみ商品の選択が可能である。
【００４２】
一方、表示モードがクローンモードに設定され、かつ客側表示器４からのタッチパネル入力がオンに設定されている場合には、キャッシャ側表示器３および客側表示器４の双方の操作にて商品の選択が可能である。ただし、上述の如くクローンモードではキャッシャ側表示器３と客側表示器４の表示画面は完全に同一であり、タッチパネルコントローラ１６は双方のタッチパネル入力を区別せずに画一的に処理する。したがって、キャッシャおよび客の一方が画面をタッチ操作している間、他方はその操作の完了を待って自己の操作を行う。
【００４３】
商品の選択がなされたと判定した場合（ＳＴ２０４のＹｅｓ）、制御部１０は、ＰＬＵファイル３２から当該商品のＰＬＵコードに対応付けられた商品データを特定する（ＳＴ２０５）。そして、特定した商品データをＲＡＭ１２に形成された商品データ登録エリア２１に登録する（ＳＴ２０６）。
【００４４】
商品データ登録エリア２１に商品データを登録した後、あるいは商品選択がなされていないと判定した場合（ＳＴ２０４のＮｏ）、制御部１０は、商品データの入力画面に設けられた現計キーの操作により登録完了が宣言されたか否かを判定する（ＳＴ２０７）。未だ現計キーの操作により登録完了が宣言されていない場合には（ＳＴ２０７のＮｏ）、再び商品選択を受け付ける（ＳＴ２０３）。
【００４５】
一方、既に現計キーの操作により登録完了が宣言されている場合（ＳＴ２０７のＹｅｓ）、制御部１０は、商品データ登録エリア２１に登録された商品データに基づいて当該取引における買い上げ商品の合計金額等を算出し、商品データの入力画面に表示する（ＳＴ２０８）。
【００４６】
具体的には、デュアルモードに設定されている場合、液晶表示コントローラ１５を介して液晶パネル３ａを制御し、キャッシャ側表示器３の表示画面に表示された商品データの入力画面に買い上げ商品の合計金額や合計点数等を表示するとともに、液晶表示コントローラ１５を介して液晶パネル４ａを制御し、客側表示器４の表示画面に形成された所定の表示エリアにも買い上げ商品の合計金額等を表示する。  
一方、クローンモードに設定されている場合、液晶表示コントローラ１５を介して液晶パネル３ａ，４ａを制御し、キャッシャ側表示器３および客側表示器４の双方に表示された商品データの入力画面に買い上げ商品の合計金額や合計点数等を表示する。
【００４７】
かくして合計金額等を表示した後、制御部１０は、商品データの入力画面上に設けられた締めキーの操作により取引の締めが宣言されたか否かを判断する（ＳＴ２０９）。現金の支払いあるいはＰＯＳ端末１に接続されたカードリーダ（不図示）を用いたクレジットカード決済や電子マネー読取装置（不図示）を用いた電子マネー決済等により客が代金を支払った場合、キャッシャは上記締めキーを操作する。このとき、制御部１０は、締めが宣言されたと判定し（ＳＴ２０９のＹｅｓ）、商品データ登録エリア２１に登録された商品データに基づいて当該取引を決済処理する（ＳＴ２１０）。具体的には、商品データ登録エリア２１に登録された商品データや、該商品データに基づいて算出される代金などからなる決済データを通信Ｉ／Ｆ１３を介して上位機器に送信するとともに、ＰＯＳ端末１に接続されたレシートプリンタ（不図示）に決済データを送信してその内容が印字されたレシートを発行させる。なお、ＳＴ２１０の処理は、本実施形態における決済処理手段を構成する。
【００４８】
かくして当該取引の決済処理が完了した後、制御部１０は、商品データ登録エリア２１の登録内容をクリアして当該取引に係る商品販売処理を終了し、次回の商品データ登録開始の宣言を待機する（ＳＴ２０２）。
【００４９】
以上説明したように、ＰＯＳ端末１は、単一の商品販売処理用のアプリケーションによりキャッシャ側表示器３および客側表示器４に商品データの入力画面を表示し、両表示器３，４のタッチパネル入力を当該画面の操作として受け付ける。したがって、複数のアプリケーションや処理能力の高い制御部品を用意する必要がないので、その生産コストを低く保つことができる。
【００５０】
また、ＰＯＳ端末１は、商品販売処理におけるキャッシャ側表示器３および客側表示器４の画面の表示モードおよび客側表示器４のタッチパネル入力のオン／オフを任意に設定可能である。そのため、店舗の運営形態に応じて柔軟に使用態様を変更することができる。
【００５１】
例えば、ＰＯＳ端末１をキャッシャのみが操作して商品販売処理を行う運用が所望であれば、デュアルモードに設定すればよい。  
また、商品データの入力画面を客側表示器４にも表示し、客が当該画面を閲覧しながら商品を品定めしてキャッシャに口頭で伝える運用が所望であれば、クローンモードに設定し、かつ客側表示器４のタッチパネル入力をオフに設定すればよい。
【００５２】
また、キャッシャと客の双方で商品データの入力画面からの商品選択を受け付ける運用が所望であれば、クローンモードに設定し、かつ客側表示器４のタッチパネル入力をオンに設定すればよい。この設定においては、キャッシャが一切操作せずとも客自身で商品販売処理を完結することができるので、セルフチェックアウト方式を所望する店舗の運営にも対応できる。
【００５３】
なお、この発明は前記実施形態そのままに限定されるものではなく、実施段階においては、その要旨を逸脱しない範囲内にて各構成要素を適宜変形して具体化することができる。
【００５４】
例えば、客側表示器４のタッチパネル入力のオン／オフを設定できるだけでなく、キャッシャ側表示器３のタッチパネル入力のオン／オフについても任意に設定できるようにしてもよい。この場合、モード設定エリア２０にキャッシャ側表示器３のタッチパネル入力のオン／オフの設定エリアを設け、上記実施形態にて説明した客側表示器４と同様の設定処理にてオン／オフを設定すればよい。
【００５５】
また、ＰＯＳ端末１の図示せぬインターフェイスに商品に付されたバーコードを読み取るスキャナ、レシートを発行するレシートプリンタ、クレジットカードなどの磁気カードを読み取るカードリーダ、電子マネー媒体と通信して電子マネー決済を行う電子マネーリーダなどの周知の機器を接続し、バーコードの読み取りによる商品データの入力、取引内容を印字したレシートの発行、クレジットカード決済、電子マネー決済などを行うようにしてもよい。
【００５６】
この他、前記実施形態に開示されている複数の構成要素の適宜な組合せにより種々の発明を形成できる。
【符号の説明】
【００５７】
２…基台部、３…キャッシャ側表示器、４…客側表示器、３ａ，４ａ…液晶パネル、３ｂ，４ｂ…タッチパネル、１０…制御部、１１…ＲＯＭ、１２…ＲＡＭ、１４…ＨＤＤ、１５…液晶表示コントローラ、１６…タッチパネルコントローラ
【先行技術文献】
【特許文献】
【００５８】
【特許文献１】特開２００１−３３８３４５号公報
【図１】
2011013905.tif 000003
【図２】
2011013905.tif 000004
【図３】
2011013905.tif 000005
【図４】
2011013905.tif 000006
【図５】
2011013905.tif 000007